(57)【要約】【課題】咬頭嵌合位からの前方および後方の顆路運動を再現できる咬合器を提供する。【解決手段】咬合器の一対のジョイント部の各々は、上顎弓(106)の基部における対応する一方の端部に、左右または水平方向の中心軸を有する第１の環状面(342)を有する角度規定部材(30)と、角度規定部材の第１の環状面に沿って中心軸(C2)を中心として回転方向に滑動可能な第２の環状面(454)を有し、その中心軸(C2)と交差する長手方向を有し顆頭球(70)が長手方向に線状に滑動可能な開口空間を有する移動規定部材(40)と、移動規定部材の第１の環状面の第１の位置に取り付けられ、開口空間における顆頭球の前方の制限位置を、解除可能な形態で規定する前方位置調整部材(50,61)と、移動規定部材の第１の環状面の第２の位置に取り付けられ、開口空間における顆頭球の後方の制限位置を、解除可能な形態で規定する後方位置調整部材(60)と、を含む。【選択図】図１Ａ
2013132356.tif 000002
【特許請求の範囲】
【請求項１】
一対の垂直位置調整可能な支柱と、
前記一対の支柱の基部を接続する基部を有する下顎弓と、
上顎弓と、
前記下顎弓の先端部に設けられ切歯ピンが接触滑走する切歯テーブルと、
前記一対の支柱の頂部付近にそれぞれ作業用顆頭球が先端に取り付けられる左右または水平方向の軸を有するシャフトと、
前記顆頭球を回転可能な形態で挟持し、前記上顎弓の基部の両端部に配置された一対のジョイント部と、
を備え、前記一対のジョイント部の各々は、
前記上顎弓の基部における対応する一方の端部に、左右または水平方向の中心軸を有する第１の環状面を有する角度規定部材と、
前記角度規定部材の前記第１の環状面に沿って中心軸を中心として回転方向に滑動可能な第２の環状面を有し、その中心軸と交差する長手方向を有し前記顆頭球が前記長手方向に線状に滑動可能な開口空間を有する移動規定部材と、
前記移動規定部材の前記第１の環状面の第１の位置に取り付けられ、前記開口空間における前記顆頭球の前方の制限位置を、解除可能な形態で規定する前方位置調整部材と、
前記移動規定部材の前記第１の環状面の第２の位置に取り付けられ、前記開口空間における前記顆頭球の後方の制限位置を、解除可能な形態で規定する後方位置調整部材と、
を含むものである、咬合器。
【請求項２】
前記第１の環状面において、前記第２の位置は、前記第１の環状面の中心軸を中心として前記第１の位置に対して９０度より大きく１８０度より小さい角度の位置にあることを特徴とする、請求項１に記載の咬合器。
【請求項３】
さらに、前記角度規定部材に対する前記移動規定部材の相対的な角度位置を固定する固定手段を備えることを特徴とする、請求項１または２に記載の咬合器。
【請求項４】
前記後方位置調整部材は、雌ネジ部を含む雄ネジと、前記雌ネジ部と螺合し、先端部が前記顆頭球と接触可能な雄ネジ部とを含むものであることを特徴とする、請求項１乃至３のいずれかに記載の咬合器。
【発明の詳細な説明】
【技術分野】
【０００１】
本発明は、咬合器に関する。
【背景技術】
【０００２】
咬合器は上顎と下顎の三次元的な寸法形状および動きを再現する器具である。咬合器は、それに咬合床または歯牙模型が取り付けられて、上下顎の位置と下顎運動を再現し、歯科の診断または治療に利用される。咬合器に取り付けられた咬合床上で、例えば仮義歯床が作製される。例えば、樹脂製（レジン）の義歯床を作製するために、先ず、患者の口腔内形状を表す石膏模型およびその上に取り付けた蝋（パラフィン等のワックス）製の咬合床を咬合器に配置し、咬合床に合わせて蝋に人工歯（義歯）を配列し、仮義歯床が作製され、その仮床試適が行われる。
【０００３】
人間の下顎は、咀嚼、発音または嚥下時にそれぞれ特徴的な運動を示す。下顎の機能的な運動を機能運動という。下顎運動の運動空間の境界上での運動を境界運動という。境界運動には、咀嚼運動、即ち食物を噛みきり、臼磨するときの下顎の運動が含まれる。
【０００４】
既知の咬合器は、一対の垂直位置調整可能な支柱と、一対の支柱の頂部付近に両支柱頂部を互いに橋渡して接続する基部を有する上顎弓と、一対の支柱の基部を橋渡して接続する基部を備えた下顎弓と、下顎弓の先端部の台座と、上顎弓の先端部に設けられ下顎弓の台座上を先端ピンが接触滑走する上顎弓と下顎弓の間の距離調整用のロッドとを備えている。その咬合器は、さらに、左右一対の垂直位置調整可能な支柱の頂部付近にそれぞれ互いに向き合う方向に進退可能な顆頭球を先端に設けた顆頭球パーツと、顆頭球を挟持するための上顎弓基部の鉛直側面に回転自在に取付けられる水平方向に伸びる回転軸を有する顆路フレームと、を備えている。その咬合器は、さらに、顆路フレームと共に顆頭球を挟持するために、顆路フレームの回転軸に平行に配置される顆路フレームの取付け面に回転自在に支持されるベネット用パーツと、下顎弓の基部側に着脱自在に取り付けられ上顎弓の基部の底面に当接する伸縮自在の先端部を設けた上顎弓サーポート・スティックと、を備えている。
【先行技術文献】
【特許文献】
【０００５】
【特許文献１】特開２００３−２３５８７３号公報
【発明の開示】
【０００６】
既知の半調節性のアルコン型咬合器では、主として、咬頭嵌合位または中心咬合位からの前方の連続的な顆路運動しか再現できない。
【０００７】
発明者は、咬頭嵌合位または中心咬合位からの前方および後方の連続的な顆路運動を再現できる咬合器を提供する必要性を認識した。
【０００８】
本発明の目的は、咬頭嵌合位または中心咬合位からの前方および後方の顆路運動を再現できる咬合器を提供することである。
【０００９】
発明の概要
本発明の一観点によれば、咬合器は、一対の垂直位置調整可能な支柱と、前記一対の支柱の基部を接続する基部を有する下顎弓と、上顎弓と、前記下顎弓の先端部に設けられ切歯ピンが接触滑走する切歯テーブルと、前記一対の支柱の頂部付近にそれぞれ作業用顆頭球が先端に取り付けられる左右または水平方向の軸を有するシャフトと、前記顆頭球を回転可能な形態で挟持し、前記上顎弓の基部の両端部に配置された一対のジョイント部と、を備える。前記一対のジョイント部の各々は、前記上顎弓の基部における対応する一方の端部に、左右または水平方向の中心軸を有する第１の環状面を有する角度規定部材と、前記角度規定部材の前記第１の環状面に沿って中心軸を中心として回転方向に滑動可能な第２の環状面を有し、その中心軸と交差する長手方向を有し前記顆頭球）が前記長手方向に線状に滑動可能な開口空間を有する移動規定部材と、前記移動規定部材の前記第１の環状面の第１の位置に取り付けられ、前記開口空間における前記顆頭球の前方の制限位置を、解除可能な形態で規定する前方位置調整部材と、前記移動規定部材の前記第１の環状面の第２の位置に取り付けられ、前記開口空間における前記顆頭球の後方の制限位置を、解除可能な形態で規定する後方位置調整部材と、を含んでいる。
【００１０】
実施形態において、咬合器は、さらに、前記角度規定部材に対する前記移動規定部材の相対的な角度位置を固定する固定手段を備えていてもよい。
【００１１】
実施形態の一観点によれば、咬頭嵌合位または中心咬合位からの前方および後方の顆路運動を再現できる咬合器を提供することができる。
【図面の簡単な説明】
【００１２】
【図１Ａ】図１Ａ〜１Ｄは、実施形態による例示的な咬合器の概略的な構成を示している。
【図１Ｂ】（図1Aで説明）
【図１Ｃ】（図1Aで説明）
【図１Ｄ】（図1Aで説明）
【図２Ａ】図２Ａ〜２Ｆは、ジョイント部の概略的な構造の例を示している。
【図２Ｇ】図２Ｇは、移動規定部材が正方向の傾斜角度位置にあるジョイント部の例を示している。
【図３】図３は、図２Ａ〜２Ｆのジョイント部の分解斜視図である。
【図４】図４Ａ〜４Ｇは、角度規定部材の概略的な構造の例を示している。
【図５】図５Ａ〜５Ｇは、移動規定部材の概略的な構造の例を示している。
【図６】図６Ａ〜６Ｅは、前方位置調整部材、および前方位置調整部材に嵌入される雄ネジの概略的な構成および動作を示している。
【図７】図７Ａは、図６Ａの前方位置調整部材の中心軸に沿った概略的な拡大断面図および雄ネジの概略的な拡大図である。図７Ｂおよび７Ｃは、それぞれ雄ネジの正面図および背面図である。
【図８】図８Ａ〜８Ｃは、前方位置調整部材への雄ネジの嵌入と、開口空間における雄ネジの皿型頭部のＸ方向の移動とを示すための、図５Ｅの線XIII−XIIIに沿った移動規定部材の垂直断面図である。
【図９】図９Ａおよび９Ｂは、後方位置調整部材の概略的な分解図を示している。
【図１０】図１０Ａおよび１０Ｂは、移動規定部材へのローレット型ネジの嵌入または螺着と、ローレット型ネジの円筒状先端部の開口空間への突出とを示すための、図５Ｅの線XIII−XIIIに沿った移動規定部材の垂直断面図である。
【図１１Ａ】図１１Ａ〜１１Ｃは、咬合器において、咬頭嵌合位から前方の顆路運動またはベネット運動を再現するための説明図である。
【図１１Ｃ】（図11Aで説明）
【図１２Ａ】図１２Ａ〜１２Ｃは、咬合器において、咬頭嵌合位から後方の顆路運動またはベネット運動を再現するための説明図である。
【図１２Ｃ】（図12Aで説明）
【図１３】図１３は、代替形態のジョイント部の例を示している。
【図１４】図１４は、別の前方位置調整部材の例を示している。
【図１５】図１５は、別の後方位置調整部材および段付きローレット型ネジの例を示している。
【発明を実施するための形態】
【００１３】
本発明の非限定的な実施形態を、図面を参照して説明する。図面において、同様の構成要素には同じ参照番号が付されている。
【００１４】
図１Ａ〜１Ｄは、実施形態による例示的な咬合器１０の概略的な構成を示している。図１Ａは、咬合器１０の左側面図である。図１Ｂは、咬合器１０の背面図である。図１Ｃは、咬合器１０の上面図である。図１Ｄは、咬合器１０の正面図である。
【００１５】
実施形態の咬合器１０は、アルコン型であり、即ち顆頭球が生体と同様に下弓に付いており、また、半調節性のものであり、即ち下顎運動要素のうち一部の要素のみが再現可能である。但し、咬合器１０の一部の特徴は、これに限定されることなく、他の型の咬合器にも適用可能である。咬合器１０の部材および要素の全てまたは少なくとも一部は、例えばステンレス鋼のような金属で形成されてもよい。
【００１６】
咬合器１０は、補綴物作製用の下顎の歯形を支持する下顎弓１０４と、補綴物作製用の上顎の歯形を支持する上顎弓１０６とを含んでいる。下顎弓１０４および上顎弓１０６の間の距離は、下顎弓１０４の後端部または基部に配置された一対の基部支柱１１０Ｌ、１１０Ｒ、上部支柱１１１Ｌ、１１１Ｒと、上顎弓１０６の先端部に配置された垂直長さ調整可能な切歯ピン（指導針）またはロッド１４８とによって決定される。切歯ピン１４８の下側の先端部は、下顎弓１０４の先端部の切歯（インサイザル）テーブル１５０に、離接可能な形態または滑動可能な形態で接触する。切歯テーブル１５０には、切歯ピン１４８の先端部が当接する規定位置設定板（図示せず）と、その両側にその規定位置設定板の端部を中心に傾斜可能な跳ね上げ板（図示せず）とが配置されてもよい。一対の上部支柱１１１Ｌ、１１１Ｒは、それぞれ一対の基部支柱１１０Ｌ、１１０Ｒの頂部に垂直方向に位置調整可能な形態で取り付けられている。
【００１７】
ここで、参照番号の後のＬおよびＲは、それぞれ咬合器１０の左および右にある部材を表す。左右のいずれかの部材をＬ、Ｒを付さずに参照番号だけで示すこともある。咬合器１０の多くの要素は、左右に同様に配置され、左側の要素の寸法形状および動きは、右側の要素の寸法形状および動きと概して鏡面対象の関係にあると見てもよい。対をなす左側の一方の要素の或る左右の動きに対して、同じ対をなす右側の他方の要素の動きはそれと逆の左右の動きを示す。一方、例えば、対をなす左右の要素におけるネジの回転方向（右回転、左回転）と前進および後退方向の関係は、鏡面対象でなく、同じであってもよい。
【００１８】
基部支柱１１０Ｌと上部支柱１１１Ｌが左側の１つの支柱を形成する。また、基部支柱１１０Ｒと上部支柱１１１Ｒが右側の別の支柱を形成する。一対の上部支柱１１１Ｌ、１１１Ｒは、一対の顆頭球支持軸（シャフト）１１２Ｌ、１１２Ｒ、一対の顆頭球または作業用顆頭球７０Ｌ、７０Ｒ、概ね環状の一対のジョイント部２０Ｌ、２０Ｒ、および上顎弓１０６の基部または後端部に位置する橋梁部材または基部１２０を介して、橋渡しされる。橋梁部材１２０は、それぞれ固定ネジで上顎弓１０６に固定される左右一対の橋梁部材を含んでいてもよい。顆頭球支持軸１１２Ｌ、１１２Ｒは、それぞれ上部支柱１１１Ｌ、１１１Ｒに固定されていてもよい。
【００１９】
説明のために、上部支柱１１１Ｌ、１１１Ｒにおける顆頭球７０Ｌ、７０Ｒの水平面上の前方向をＸ軸、左側の顆頭球７０ＬにおいてＸ軸に直交する水平面上の外方向をＹ軸とし、左側の顆頭球７０ＬにおいてＸ−Ｙ平面に直交する垂直方向をＺ軸と仮定する。
【００２０】
互いに調整されて固定された位置関係にある、一対のジョイント部２０Ｌ、２０Ｒ、橋梁部材１２０、上顎弓１０６および切歯ピン１４８の第１の組合せは、一対の顆頭球７０Ｌ、７０Ｒおよび一対の支持軸１１２Ｌ、１１２Ｒを回転軸または支点として、一対の上部支柱１１１Ｌ、１１１Ｒ、一対の基部支柱１１０Ｌ、１１０Ｒ、および下顎弓１０４の第２の組合せに対してヒンジ（軸支）連結される。即ち、図１Ａに双頭の矢印で示されているように、第１の組合せは第２の組合せに対して回転可能である。
【００２１】
上部支柱１１１Ｌ、１１１Ｒは、後部および内側に設けられた調整および固定用の段付きローレット・ネジ１１８Ｌ、１１８Ｒ、１１９Ｌ、１１９Ｒによって基部支柱１１０Ｌ、１１０Ｒに対して垂直方向の或る位置に調整されて固定される。上顎弓１０６の先端部の高さは、調整および固定用の段付きローレット・ネジ１４０によって調整されて固定される。切歯ピン１４８の水平Ｘ方向の位置は、上顎弓１０６に対して、調整および固定用の段付きローレット・ネジ１４２によって調整されて固定される。
【００２２】
また、顆頭球７０Ｌ、７０Ｒ（下顎頭に相当する）は、その円筒状の内周面が、支持軸１１２Ｌ、１１２Ｒの円筒状の先端部に、Ｙ軸を中心として支持軸１１２Ｌ、１１２Ｒの円筒面の周りに回転可能な形態で取り付けられる。代替形態として、上部支柱１１１Ｌ、１１１Ｒの頂部に取り付けられたＹ方向に伸びる支持軸１１２Ｌ、１１２Ｒの先端部に顆頭球７０Ｌ、７０Ｒが固定的に配置されてもよい。顆頭球７０Ｌ、７０Ｒの各々形状は、中心に環状の凹所開口または貫通開口を有する球体または楕円体であってもよい。支持軸１１２Ｌ、１１２Ｒの先端部は、顆頭球７０Ｌ、７０Ｒの中心開孔をそれぞれ貫通してまたはその外側が閉じた環状凹所開口に嵌入する形態で、および回転可能な形態で、顆頭球７０Ｌ、７０Ｒを支持してもよい。顆頭球７０Ｌ、７０Ｒは、支持軸１１２Ｌ、１１２Ｒとは別個の要素であり、容易にジョイント部２０Ｌの開口空間または空洞またはスリット４２Ｌに滑動可能な形態で係合させることができ、支持軸１１２Ｌ、１１２Ｒの先端部に取り付け可能である。
【００２３】
顆頭球７０Ｌと７０Ｒの間のＸ方向の距離は、一対のジョイント部２０Ｌ、２０ＲのＸ方向の固定位置を調整してローレット・ネジで固定することによって調整できるようにしてもよい。上部支柱１１１Ｌ、１１１Ｒは、ローレット・ネジ１１８Ｌ、１１８Ｒ、１１９Ｌ、１１９Ｒによって基部支柱１１０Ｌ、１１０Ｒに対してＸ方向の或る位置に調整されて固定されるようにしてもよい。
【００２４】
図２Ａ〜２Ｆは、ジョイント部２０Ｌの概略的な構造の例を示している。図２Ａは、ジョイント部２０Ｌの左側面図または外側面図である。図２Ｂは、ジョイント部２０Ｌの上面図である。図２Ｃは、ジョイント部２０Ｌの正面図である。図２Ｄは、ジョイント部２０Ｌの背面図である。図２Ｅは、ジョイント部２０Ｌの底面図である。図２Ｆは、ジョイント部２０Ｌの右側面図または内側面図である。ジョイント部２０Ｒの各要素は、ジョイント部２０Ｌの各要素と概して鏡面対象の位置関係に配置される。
図３は、図２Ａ〜２Ｆのジョイント部２０Ｌの分解斜視図である。
【００２５】
ジョイント部２０Ｌは、概して環状の角度規定部材３０Ｌと、その内側に配置される概して環状の移動規定部材４０Ｌを含んでいる。角度規定部材３０Ｌと移動規定部材４０Ｌは、それぞれ軸受とシャフトの関係で連結されると見てもよい。移動規定部材４０Ｌは、その開口空間またはスリット４２Ｌによって、顆頭球７０Ｌの咬頭嵌合位から前方および後方の顆路運動またはベネット運動を規定する。角度規定部材３０Ｌは、水平（ＸＹ）面からの移動規定部材４０Ｌの傾斜角度を規定することによって顆路運動の角度を規定する。
【００２６】
図２Ｇは、移動規定部材４０Ｌが正方向の傾斜角度位置にあるジョイント部４０Ｌの例を示している。
図２Ｇにおいて、ジョイント部４０Ｌの移動規定部材４０Ｌは、一点鎖線の矢印で示されているように、図２Ａの角度位置から正方向に或る角度（例えば４〜６度）だけ傾斜または回転された位置にある。
【００２７】
特に図３を参照すると、咬合器１０の組立てにおいて、移動規定部材４０Ｌは、角度規定部材３０Ｌの右側または内側の開口からその内部の環状の凹所空間内に、回転可能な形態で、シャフトと軸受の関係で、嵌入される。角度規定部材４０Ｌは、その外周に、内側外周面３３４を有する部分的に環状の溝部を含み、その溝部には部分的な環状の開口またはスリット３２Ｌが形成されている。ジョイント部２０Ｌは、顆頭球７０Ｌの移動範囲または前方および後方の制限もしくは限界位置を規定するための前方位置調整部材５０Ｌおよび後方位置調整部材６０Ｌを含んでいる。前方位置調整部材５０Ｌおよび後方位置調整部材６０Ｌの各々は、同軸的な２種類の以上のネジを含む複合ネジであってもよい。
【００２８】
前方位置調整部材５０Ｌは、その軸または円筒部５２１およびネジ部５２６が、角度規定部材３０Ｌのスリット３２Ｌ中を円周方向または角度的に移動および再配置可能であり、移動規定部材４０Ｌに対して或る角度位置に調整されて固定される。後方位置調整部材６０Ｌは、その軸または円筒部６２１およびネジ部６１６が、角度規定部材３０Ｌのスリット３２Ｌ中を円周方向または角度的に移動および再配置可能であり、移動規定部材４０Ｌに対して或る角度位置に調整されて固定される。移動規定部材４０Ｌは、後方位置調整部材６０Ｌの段付き円筒部６１４を内側外周面３３４へ押圧接触させることによって、角度規定部材３０Ｌに或る角度位置で固定可能である。
【００２９】
顆頭球７０Ｌは、ジョイント部２０Ｌの移動規定部材４０Ｌ内の開口空間またはスリット４２Ｌ内を直線的にまたは線状に滑動可能であり、前方位置調整部材５０Ｌおよび後方位置調整部材６０Ｌの各ネジ先端部との接触位置によって、咬頭嵌合位が規定され、咬頭嵌合位に固定され得る。後方位置調整部材６０Ｌのネジ先端部の位置を固定したまま、前方位置調整部材５０Ｌのネジ先端部を前方限界まで後退させてそのネジ先端部の顆頭球７０Ｌとの接触を解除することによって、顆頭球７０Ｌは、上顎弓１０６に対して、咬頭嵌合位から相対的に前方への自由なまたは連続的な顆路運動が可能になる。前方位置調整部材５０Ｌのネジ先端部の位置を固定したまま、後方位置調整部材６０Ｌのネジ先端部を短い距離だけ開口空間４２Ｌの下または外へ後退させてそのネジ先端部の顆頭球７０Ｌとの接触を解除することによって、顆頭球７０Ｌは、上顎弓１０６に対して、咬頭嵌合位から相対的に後方への自由なまたは連続的な顆路運動が可能になる。
【００３０】
前方位置調整部材５０Ｌの中心軸は、開口空間またはスリット４２Ｌの長手方向の中心軸と概して同軸上にあってもよい。後方位置調整部材６０Ｌの中心軸は、前方位置調整部材５０Ｌの中心軸に対して、正方向に９０度より大きく１８０度より小さい角度θで、好ましくは１２０度乃至１５０度（負方向に３０度乃至６０度）の範囲の角度θで、より好ましくは１３０度乃至１４０度（負方向に４０度乃至５０度）の範囲の角度θで、例えば１３５度（負方向に４５度）の角度θで配置される。
【００３１】
ジョイント部２０Ｌの組み立てにおいて、移動規定部材４０Ｌの顆頭球用の開口４２４を通して、顆頭球接触用の溝無し皿型頭部５６２（図６Ａ）を有する雄ネジ５６が、そのネジ軸またはネジ部を先にして開口空間またはスリット４２Ｌ内に挿入される。次いで、移動規定部材４０Ｌの開口４２４を通して、顆頭球７０Ｌが開口空間４２Ｌ内に挿入される。開口空間４２Ｌの天井面と床面は、それぞれ１つの円筒形状の異なる一部分であってもよい。顆頭球７０Ｌの回転中心軸またはＹ軸に垂直な半径方向の最大直径は、開口空間４２Ｌの幅、即ち垂直方向に位置する天井面と床面の間の最大幅の距離（または直径）と等しいかまたはそれより僅かに小さくてもよい。顆頭球７０Ｌは、開口空間４２Ｌの長手方向に滑動可能であり、その長手方向に直角な方向およびＹ方向にはほとんど直線的な移動をしない。
【００３２】
次いで、移動規定部材４０Ｌは、雄ネジ５６Ｌおよび顆頭球７０Ｌと共に角度規定部材３０Ｌの右側または内側の開口から内部の概して円柱状の環状凹所空間に嵌入される。次いで、前方位置調整部材５０Ｌのネジ部５２６が、角度規定部材３０の環状スリット３２Ｌの前部分を通して移動規定部材４０Ｌの雌ネジ４２２に回転させながら嵌入される（螺合される）。次いで、雄ネジ５６Ｌのネジ部が、前方位置調整部材５０Ｌのネジ先側の開口を通して前方位置調整部材５０Ｌの中空空間に嵌入させる。次いで、前方位置調整部材５０Ｌのローレット型雌ネジ５４が回転されて、雄ネジ５６Ｌのネジ部がローレット型雌ネジ５４内の雌ネジ部５４２内に前進して嵌入（螺合）される。
【００３３】
次いで、後方位置調整部材６０の段付きローレット型ネジ６２のネジ部が、角度規定部材３０Ｌの環状スリット３２Ｌの後下部分を通され、回転されて、移動規定部材４０Ｌの角度付き雌ネジ部４２６に嵌入（螺合）される。ローレット型ネジ６２は、段付きローレット型ネジ６２の環状突部（段）６１４の平坦な端面が角度規定部材３０Ｌの内側の外周面３３４に当接して押圧される位置まで、回転されて前進させられる。それによって、移動規定部材４０Ｌとローレット型ネジ６２は、移動規定部材４０Ｌの外周面４５４と環状突部６１４の環状平坦面との間に、角度規定部材３０Ｌの環状溝の内側の外周壁（３３４）を挟持して、角度規定部材３０Ｌに対して移動規定部材４０Ｌを、回転軸（Ｃ１、Ｃ２）を中心する角度位置に固定することができる。
【００３４】
さらに、ローレット型ネジ６４のネジ部６３４が、押圧バネ６３０を介して段付きローレット型ネジ６２の雌ネジ部（６１８）に回転されて嵌入され（螺合されて）、ローレット型ネジ６４の円筒状先端部６３６が雌ネジ部４２６内の空洞空間に突出され、さらに顆頭球７０Ｌの球状面に接触させられる。それによって、雄ネジ５６の皿型頭部５６２の接触面も、顆頭球７０Ｌの球状面に接触するようになる。但し、角度規定部材３０Ｌおよび移動規定部材４０Ｌに対する前方位置調整部材５０Ｌと後方位置調整部材６０の取り付け順序は、逆であっても、または同時に並行して行われてもよい。雄ネジ５６Ｌの軸方向の皿型頭部５６２の位置とローレット型ネジ６４の軸方向の円筒状先端部６３６の位置を互いに調整することによって、開口空間４２Ｌにおける顆頭球７０Ｌまたは咬頭嵌合位の位置を調整することができる。
【００３５】
開口空間４２Ｌの長手方向（または顆路方向）に対して、上述のように、移動規定部材４０Ｌの雌ネジ部４２６の軸の角度θが９０度より大きく１８０度より小さい角度で傾斜している場合には、ローレット型ネジ６４のネジ回転角度に対する開口空間４２Ｌの長手方向の移動量は相対的に小さくなり、従って顆頭球７０Ｌまたは咬頭嵌合位の位置の微調整ができる。また、ローレット型ネジ６４を短い距離だけ後退させるだけで、顆頭球７０Ｌの咬頭嵌合位から後方の連続的な顆路運動が簡単に形成できる。
【００３６】
図４Ａ〜４Ｇは、角度規定部材３０Ｌの概略的な構造の例を示している。図４Ａは、角度規定部材３０Ｌの左側面図または外側面図である。図４Ｂは、角度規定部材３０Ｌの上面図である。図４Ｃは、角度規定部材３０Ｌの正面図である。図４Ｄは、角度規定部材３０Ｌの背面図である。図４Ｅは、角度規定部材３０Ｌの底面図である。図４Ｆは、角度規定部材３０Ｌの右側面図または内側面図である。図４Ａ〜４Ｆにおいて、破線は、見えない位置にある要素の概略的な位置を示している。図４Ｇは、図４Ａにおける線IVＧ−IVＧに沿った角度規定部材３０Ｌの断面図である。図４Ａ〜４Ｇの参照番号において、図を簡明にするために左側を表すＬが省略されている。
【００３７】
角度規定部材３０Ｌは、その頂部に、水平面（ＸＹ面）内の角度を調整するためのＺ方向に突出した円柱状の角度調整部３２２、その上にＺ方向に突出した円柱状固定部３２４を含んでいる。円柱状固定部３２４の上面には中心に雌ネジ部３１２が形成されている。角度規定部材３０Ｌは、円柱状固定部３２４が橋梁部１２０の左端部の円柱状の開口１２４に下側から嵌入され、固定用のローレット・ネジ１２２Ｌのネジ部が円柱状固定部３２４の雌ネジ部３１２に上側から嵌入（螺合）されて、橋梁部１２０の左端部の下側に固定される。
【００３８】
角度規定部材３０Ｌは、周囲に、概して軸Ｃ１方向の中央に環状溝を有し相対的に長い半径を有する外側の部分的な外周面３３２と、その環状溝の中央に、環状スリット３２Ｌを有し相対的に短い半径を有する内側の部分的な外周面３３４とを含んでいる。角度規定部材３０Ｌは、周囲に、外周面３３２、３３４の内側に相対的に長い半径を有する環状または円筒状の主要内周面（軸受面）３４２と、Ｙ方向の端部の外周面３３２の内側に短い半径を有する環状または円筒状の端部内周面（軸受面）３４４とを含んでいる。外周面３３２および３３４と内周面３４２および３４４との間に環状の壁部が形成される。主要内周面３４２および端部内周面３４４は、咬合器１０において水平方向に伸びるまたはＸＹ面内に位置する共通の中心軸Ｃ１を有する。代替形態として、外周面３３２と３３４は、単一の半径を有する１つの外周面を形成してもよい。
【００３９】
角度規定部材３０Ｌは、右側または内側の環状平坦面３５０において、概してその正のＸ方向の位置に軸Ｃ１方向の内側に突出した後部係止部材３５２ａ、概してその負のＸ方向の位置に軸Ｃ１方向の内側に突出した前部係止部材３５２ｂを含んでいる。角度規定部材３０Ｌは、左側または外側の環状平坦面の開口付近に、移動規定部材４０Ｌの開口空間４２Ｌの角度位置または傾斜角度（図２Ｇ参照）を調整するための角度調整用の角度スケール（目盛）３４５が刻まれていてもよい。
【００４０】
図２Ｂ〜２Ｆに例示されているように、後部係止部材３５２ａと前部係止部材３５２ｂの一方と、支持軸１１２Ｌとの間に引張コイルバネ３５６が係止されてもよい。それによって、角度規定部材３０Ｌは、開口空間４２Ｌの長手方向に後ろ向きまたは前向きに付勢されて顆頭球７０Ｌの位置に向かう弾性的な復元力を与えられる。
【００４１】
図５Ａ〜５Ｇは、移動規定部材４０Ｌの概略的な構造の例を示している。図５Ａは、移動規定部材４０Ｌの左側面図または外側面図である。図５Ｂは、移動規定部材４０Ｌの上面図である。図５Ｃは、移動規定部材４０Ｌの正面図である。図５Ｄは、移動規定部材４０Ｌの背面図である。図５Ｅは、移動規定部材４０Ｌの底面図である。図５Ｆは、移動規定部材４０Ｌの右側面図または内側面図である。図５Ａ〜５Ｆにおいて、破線は、見えない位置にある要素の概略的な位置を示している。図５Ｇは、図５Ａにおける線ＶＧ−ＶＧに沿った移動規定部材４０Ｌの断面図である。図５Ａ〜５Ｇの参照番号において、図を簡明にするために左側を表すＬが省略されている。
【００４２】
移動規定部材４０Ｌは、環状または円筒状の主要外周面４５４と、その左側または外側の端部に円筒状の端部外周面４５６とを含んでいる。主要外周面４５４および端部外周面４５６は、咬合器１０において水平方向に伸びるまたはＸＹ面内に位置する共通の中心軸Ｃ２を有する。移動規定部材４０Ｌの主要外周面４５４は、角度規定部材３０Ｌの主要内周面３４２と同軸的に配置され、角度規定部材３０Ｌの主要内周面３４２に沿って同軸的に回転可能である。代替形態として、図４Ａに一点鎖線で示されている位置に、移動規定部材４０Ｌの外側端部（または内側端部）の内周面４４８と同軸的に配置される外周面３４８を、角度規定部材３０Ｌにおける外側もしくは左側（または内側もしくは右側）の端部にさらに設けて、移動規定部材４０Ｌの内周面４４８を角度規定部材３０Ｌのその外周面３４８に沿って同軸的に回転可能にしてもよい。従って、角度規定部材３０Ｌと移動規定部材４０Ｌは、そのいずれか一方の環状面または円筒状面が軸受として作用し、その他方の環状面または円筒状面がシャフトとして作用してもよい。
【００４３】
移動規定部材４０Ｌは、概して軸Ｃ２の半径方向または直径方向に伸びる開口空間またはスリット４２Ｌを含んでいる。開口空間４２Ｌは、移動規定部材４０Ｌの半径より長くその直径より短い長さを有するようにしてもよい。開口空間４２Ｌの長手方向は中心軸Ｃ２と交差または直交する。開口空間４２Ｌは、外周面４５４の概して後部に概ね円柱状の空間を有する顆頭球用の開口４２４を有し、部分的に円筒状または樋状の顆頭球接触天井面４３２と、部分的に円筒状または樋状の顆頭球接触床面４３４とによって規定されている。開口空間４２Ｌの円柱状外形の中心軸は、主要外周面４５４の中心軸Ｃ２と概して直交または交差する。顆頭球接触床面４３４の中央後部と主要外周面４５４の後側底部との間に、概して主要外周面４５４の半径方向の中心軸を有する角度付き雌ネジ部４２６が形成されている。移動規定部材４０Ｌには、主要外周面４５４の概してＸ方向の前部分と、開口空間４２Ｌの概してＸ方向の前端部分との間に、概して主要外周面４５４の半径方向の中心軸を有する雌ネジ部４２２が形成されている。
【００４４】
移動規定部材４０Ｌは、軸Ｃ２方向の中央に、開口空間４２Ｌを有する垂直な壁を含み、その壁の右側または内側と左側または外側とに凹所を形成する。その中央の壁は、その壁の右側または内側と左側または外側とに平坦な内部壁面４４２を有する。
【００４５】
移動規定部材４０Ｌは、顆頭球接触天井面４３２の上側の内部壁面４４２の位置に、開口空間４２Ｌにおける長手方向の顆頭球７０Ｌの位置を正確に決定するためのスケール（目盛）４３５が刻まれていてもよい。雄ネジ５６の溝無し皿型頭部５６２の平坦面の位置が、そのスケール上の或る位置に合わせられてもよい。代替形態として、顆頭球７０Ｌに、回転軸を中心とする放射状の位置合わせのための複数の基準線が配置されて、その１つの基準線が、そのスケール上の或る位置に合わせられてもよい。
【００４６】
図６Ａ〜６Ｅは、前方位置調整部材５０Ｌ、および前方位置調整部材５０Ｌに嵌入（螺合）される雄ネジ５６の概略的な構成および動作を示している。図６Ａは、前方位置調整部材５０Ｌおよび雄ネジ５６の概略的な左側面図である。図６Ｂは、前方位置調整部材５０Ｌおよび雄ネジ５６の概略的な上面図である。
【００４７】
図７Ａは、図６Ａの前方位置調整部材５０Ｌの中心軸に沿った概略的な拡大断面図および雄ネジ５６の概略的な拡大図である。図７Ｂおよび７Ｃは、それぞれ雄ネジ５６の正面図および背面図である。
【００４８】
図６Ａおよび７Ａにおいて、前方位置調整部材５０Ｌは、ローレット型雌ネジ５４、段付きネジ５２、雌ネジ５４の拡大ネジ先の軸受用およびネジ５２の頭部結合用のブラケット５０２を含んでいる。前方位置調整部材５０Ｌは、複合ネジともいえる。ローレット型雌ネジ５４は、ブラケット５０２内の前側の円筒状の軸受面に対して滑動するようにその中心軸を中心にして回転可能な形態で、ブラケット５０２内の前側の円柱状の内部空間に収容されている。段付きネジ５２は、その頭部が、ブラケット５０２内の後側の円柱状の内部空間に収容されて、係合ピン５２４でブラケット５０２に係止されて、固定される。係合ピン５２４は、ブラケット５０２の後部外壁とネジ５２の頭部とを貫通する貫通開口を通って、ネジ５２の円筒状の中空空間５２８内に突出する。
【００４９】
図６Ａ〜６Ｅに示されているように、雄ネジ５６には、そのネジ部５６４に軸方向または母線に沿ってネジ円筒部中まで案内溝５６６が形成されている。雄ネジ５６のネジ部５６４は、前方位置調整部材５０Ｌのネジ部５２６の先端の開口部からその中空空間５２８内に挿入されて、係合ピン５２４の突出した先端部がネジ部５６４の案内溝５６６に係合する。雄ネジ５６のネジ部５６４の先端部が雌ネジ５４の雌ネジ部５４２の先端部に押圧されて部分的に嵌入された状態で、雌ネジ５４が前進方向に回転されると、雄ネジ５６のネジ部５６４が、雌ネジ５４の雌ネジ部５４２に嵌合して螺合し、図６Ｃおよび６Ｄの左向きに前進する。また、雌ネジ５４が後退方向に回転されると、雄ネジ５６のネジ部５６４が、図６Ｄおよび６Ｅの右向きに後退する。それによって、雄ネジ５６の溝無し皿型頭部５６２の開口空間４２Ｌの長手方向の位置が調整される。
【００５０】
図８Ａ〜８Ｃは、前方位置調整部材５０Ｌへの雄ネジ５６の嵌入と、開口空間４２Ｌにおける雄ネジ５６の皿型頭部５６２のＸ方向の移動とを示すための、図５Ｅの線XIII−XIIIに沿った移動規定部材４０の垂直断面図である。
【００５１】
図８Ａにおいて、前方位置調整部材５０Ｌの段付きネジ５２のネジ部５２６が、移動規定部材４０の主要外周面４５４の概して前部分に位置する雌ネジ部４２２に嵌入され螺着されて、図８Ｂのような位置に固定される。図８Ｂおよび８Ｃにおいて、雄ネジ５６のネジ部５６４が前方位置調整部材５０Ｌのネジ５２の中空空間５２８と雌ネジ５４のネジ部に嵌入され螺合される。図８Ｃにおいて、ローレット型雌ネジ５４を回転させて、開口空間４２Ｌにおける、皿型頭部５６２の前後方向または半径方向の位置が調整される。それによって、皿型頭部５６２と接触する顆頭球７０Ｌの前側の接触位置が調整される。
【００５２】
図９Ａおよび９Ｂは、後方位置調整部材６０Ｌの概略的な分解図を示している。図９Ａは、段付きローレット型ネジ６２およびローレット型ネジ６４の左側面図である。図９Ｂは、段付きローレット型ネジ６２の正面図である。
【００５３】
段付きローレット型ネジ６２は、頭部６２０、段状円筒部６２２、ネジ部６１６、および６１６ネジ部と同軸的な雌ネジ部６１８を含んでいる。ローレット型ネジ６４は、頭部６３２、ネジ部６３４および円筒状先端部６３６を含んでいる。
【００５４】
図１０Ａおよび１０Ｂは、移動規定部材４０Ｌへのローレット型ネジ６２の嵌入または螺着と、ローレット型ネジ６４の円筒状先端部６３６の開口空間４２Ｌへの突出とを示すための、図５Ｅの線XIII−XIIIに沿った移動規定部材４０Ｌの垂直断面図である。
【００５５】
図１０Ａおよび１０Ｂにおいて、段付きローレット型ネジ６２は、ネジ部６１６が、移動規定部材４０Ｌの主要外周面４２４の概して後下部分に位置する雌ネジ部４２６に嵌入され螺合されて、段状円筒部６２２が角度規定部材３０Ｌの内側の部分的な外周面３３４に押圧されて、外周面３３４と共に移動規定部材４０Ｌに固定される。次いで、ローレット型ネジ６４のネジ部６３４が、押圧バネ６３０を介して段付きローレット型ネジ６２の雌ネジ部６１８に嵌入され螺合され、所要の位置の顆頭球７０Ｌの球面の後下部分に接触するように、回転前進され半径方向の位置が調整される。従って、ローレット型ネジ６２は、角度規定部材３０Ｌと移動規定部材４０Ｌの間の相対的な角度的なまたは回転方向の位置を固定する。
【００５６】
図１１Ａ〜１１Ｃは、咬合器１０において、咬頭嵌合位から前方の顆路運動またはベネット運動を再現するための説明図である。図１１Ｃは、ジョイント部２０Ｌの右側面図または内側面図である。
【００５７】
図１１Ａにおいて、雄ネジ５６の皿型頭部５６２が前方位置調整部材５０Ｌによって前方に前進させられ、開口空間４２Ｌにおける顆頭球７０Ｌの前部分が解放される。それによって、図１１Ｂに示されているように、ジョイント部２０Ｌは、開口空間４２Ｌ内を顆頭球７０Ｌが移動するような形態で、上顎弓１０６に対して下顎弓１０４が相対的に咬頭嵌合位から前方の連続的な顆路運動を行うことが可能になる。但し、実際には、下顎弓１０４に対して上顎弓１０６が動かされてもよい。
【００５８】
角度規定部材３０Ｌに対する後方位置調整部材６０Ｌの角度的な固定位置を調整することによって、開口空間４２Ｌに、典型的には、移動規定部材に垂直な平面内の水平０度より大きい正方向の或る角度の傾斜（または顆路傾斜度）が与えられてもよい（図２Ｇ参照）。また、橋梁部１２０に対する水平面内角度調整部３２２の角度的な固定位置を調整することによって、開口空間４２Ｌに、水平面内のＸ軸方向以外の角度（ベネット角）が与えられてもよい。
【００５９】
この場合、図１１Ｃにおいて、支持軸１１２Ｌと前部係止部材３５２ａの間に引張コイルバネ３５６が係止されて、角度規定部材３０Ｌが、開口空間４２Ｌの長手方向に沿って付勢されて顆頭球７０Ｌの位置に向かう弾性的な復元力を与えられてもよい。
【００６０】
図１２Ａ〜１２Ｃは、咬合器１０において、咬頭嵌合位から後方の顆路運動またはベネット運動を再現するための説明図である。図１２Ｃは、ジョイント部２０Ｌの右側面図または内側面図である。
【００６１】
図１２Ａにおいて、後方位置調整部材６０Ｌの円筒状先端部６３６が後方下向きに後退させられ、開口空間４２Ｌにおける顆頭球７０Ｌの後部分が解放される。それによって、図１２Ｂに示されているように、ジョイント部２０Ｌは、開口空間４２Ｌ内を顆頭球７０Ｌが移動するような形態で、上顎弓１０６に対して下顎弓１０４が相対的に咬頭嵌合位から後方の連続的な顆路運動を行うことが可能になる。但し、実際には、下顎弓１０４に対して上顎弓１０６が動かされてもよい。
【００６２】
この場合、図１２Ｃにおいて、支持軸１１２Ｌと後部係止部材３５２ｂの間に引張コイルバネ３５６が係止されて、角度規定部材３０Ｌが、開口空間４２Ｌの長手方向に沿って付勢されて顆頭球７０Ｌの位置に向かう弾性的な復元力を与えられる。
【００６３】
図１３は、代替形態のジョイント部２１の例を示している。この場合、図２Ａ〜２Ｆのジョイント部２０における前方位置調整部材５０（５０Ｌ）の代わりに、前方位置調整部材６１（６１Ｌ）が使用される。前方位置調整部材６１（６１Ｌ）は、後方位置調整部材６０（６０Ｌ）と同様の要素および配置を有する。この場合、雄ネジ５６は使用されなくてよい。その代わりに、顆頭球７０Ｌに、回転軸を中心とする放射状の位置合わせのための複数の基準線７４が配置されて、その１つの基準線が、顆頭球接触天井面４３２の上側の内部壁面４４２の位置に形成されたスケール上の或る位置に合わせられてもよい。
【００６４】
この場合、後方位置調整部材６１Ｌの中心軸は、開口空間またはスリット４２Ｌの長手方向の中心軸に対して、正方向に０度より大きく９０度より小さい角度θで、好ましくは１０度〜４５度の範囲の角度θで、より好ましくは１５度〜３０度の角度θで、例えば２０度の角度θで配置される。
【００６５】
図１４は、前方位置調整部材５０（５０Ｌ）の代替形態としての別の前方位置調整部材５１（５１Ｌ）の例を示している。前方位置調整部材５１（５１Ｌ）は、移動規定部材４０Ｌの垂直断面図とともに示されている。
【００６６】
前方位置調整部材５１（５１Ｌ）は、単一の段付きローレット型ネジであってもよい。前方位置調整部材５１は、移動規定部材４０の主要外周面４５４の概して前部分に位置する雌ネジ部４２２に、押圧バネ５３０を通して嵌入され螺合される。前方位置調整部材５１を回転させて、開口空間４２Ｌにおける前方位置調整部材５１のネジ先端部の前後方向または半径方向の位置が調整される。それによって、ネジ先端部と接触する顆頭球７０Ｌの前側の接触位置が調整される。
【００６７】
図１５は、後方位置調整部材６０の代替形態としての、別の後方位置調整部材６３および段付きローレット型ネジ６５の例を示している。後方位置調整部材６３および段付きローレット型ネジ６５は、移動規定部材４０Ｌの垂直断面図とともに示されている。
【００６８】
段付きローレット型ネジ６５は、ネジ部が、移動規定部材４０Ｌの主要外周面４５４の概して前下部分に位置する雌ネジ部４２７に嵌入され螺合されて、段状円筒部６２２が角度規定部材３０Ｌの内側の部分的な外周面３３４に押圧されて、外周面３３４と共に移動規定部材４０Ｌに固定される。
【００６９】
後方位置調整部材６３は、ローレット型ネジであってもよい。後方位置調整部材６３のネジ部は、押圧バネ５３０を通して雌ネジ部６３６に嵌入され螺合される。後方位置調整部材６３を回転させて、開口空間４２Ｌにおける後方位置調整部材６３の円筒状先端部６３６の半径方向の位置が調整される。
【００７０】
このように、実施形態によれば、咬頭嵌合位または中心咬合位からの前方および後方の連続的な顆路運動を再現できる。
【００７１】
以上説明した実施形態は典型例として挙げたに過ぎず、その各実施形態の構成要素を組み合わせること、その変形及びバリエーションは当業者にとって明らかであり、当業者であれば本発明の原理及び請求の範囲に記載した発明の範囲を逸脱することなく上述の実施形態の種々の変形を行えることは明らかである。
【符号の説明】
【００７２】
１０  咬合器
１０４  下顎弓
１０６  上顎弓
１１０、１１０Ｌ、１１０Ｒ  基部支柱
１１１、１１１Ｌ、１１１Ｒ  上部支柱
１１２  顆頭球支持軸（シャフト）
１１４  ジータ・プレート
１１６  マウンティング・プレート
１２０  橋梁部材
１４８  切歯（インサイザル）ピン（指導針）
１５０  切歯（インサイザル）テーブルまたは台座
１１８、１１９、１４０、１４２  調整および固定用の段付きローレット・ネジ
１２２、１２２Ｌ、１２２Ｒ、１４４  固定用のローレット・ネジ
１２４  開口
２０、２０Ｌ、２０Ｒ  ジョイント部
３０、３０Ｌ、３０Ｒ  軸受型の角度規定部材
３１２  雌ネジ部
３２２  水平面内角度調整部
３２４  円柱状固定部
３３２  環状溝を有する外側の外周面
３３４  環状スリットを有する内側の外周面
３４２  主要内周面（軸受面）
３４４  端部内周面（軸受面）
３２、３２Ｌ、３２Ｒ  ネジの円筒部を回転可能な形態で貫通する環状スリット
３５２ａ  後部係止部材
３５２ｂ  前部係止部材
３５６  引張コイルバネ
４０、４０Ｌ、４０Ｒ  シャフト型の移動規定部材
４５４  主要外周面
４５６  端部外周面
４２、４２Ｌ、４２Ｒ  開口空間またはスリット
４２２  雌ネジ部
４２４  顆頭球用の開口
４２６  角度付き雌ネジ部
４２８  ネジ部
４３２  樋状に湾曲した顆頭球接触天井面
４３４  樋状に湾曲した顆頭球接触床面
４４２  平坦な内部壁面
５０、５０Ｌ、５０Ｒ  前方位置調整部材
５２  段付きネジ
５４  ローレット型雌ネジ
５０２  ネジ先の軸受用および頭部結合用のブラケット
５２４  係合ピン
５２６  ネジ部
５２８  中空空間
５６  雄ネジ
５６２  溝無し皿型頭部
５６４  ネジ部
５６６  案内溝
６０、６０Ｌ、６０Ｒ  後方位置調整部材
６２  段付きローレット型ネジ
６１６  ネジ部
６１８  雌ネジ部
６２０  頭部
６２１  円筒部
６２２  段状円筒部
６４  ローレット型ネジ
６３０  押圧バネ
６３２  頭部
６３４  ネジ部
６３６  円筒状先端部
７０、７０Ｌ、７０Ｒ  顆頭球
７４  複数の基準線
２１、２０Ｌ  ジョイント部
６１、６１Ｌ  前方位置調整部材
【図１Ａ】
2013132356.tif 000003
【図１Ｂ】
2013132356.tif 000004
【図１Ｃ】
2013132356.tif 000005
【図１Ｄ】
2013132356.tif 000006
【図２Ａ】
2013132356.tif 000007
【図２Ｇ】
2013132356.tif 000008
【図３】
2013132356.tif 000009
【図４】
2013132356.tif 000010
【図５】
2013132356.tif 000011
【図６】
2013132356.tif 000012
【図７】
2013132356.tif 000013
【図８】
2013132356.tif 000014
【図９】
2013132356.tif 000015
【図１０】
2013132356.tif 000016
【図１１Ａ】
2013132356.tif 000017
【図１１Ｃ】
2013132356.tif 000018
【図１２Ａ】
2013132356.tif 000019
【図１２Ｃ】
2013132356.tif 000020
【図１３】
2013132356.tif 000021
【図１４】
2013132356.tif 000022
【図１５】
2013132356.tif 000023